(57)【特許請求の範囲】
【請求項１】
コンテナーにおける無線ＩＣタグの配置構造において、前記コンテナーが、底部と、該底部の長辺側土手部にヒンジ連結された長側壁と、前記底部の短辺側土手部にヒンジ連結された短側壁とから構成されている折り畳みコンテナーであり、前記長辺側土手部は、前記底部の底板の長辺から略垂直に立設された内側垂直部と、該内側垂直部の上端から水平方向外側に延在する水平部と、該水平部の先端から下方に垂下された外側垂直部とからなる、下方に開口を有する略逆Ｕ字状に形成されているとともに、該下方に開口を有する略逆Ｕ字状の長辺側土手部内に、無線ＩＣタグを配置したことを特徴とするコンテナーにおける無線ＩＣタグの配置構造。
【発明の詳細な説明】
【技術分野】
【０００１】
本発明は、底部と、該底部にヒンジ連結され、且つ、底部に重なるように折り畳むことが可能な側壁とから構成された、所謂、折り畳みコンテナーや、側壁と底部が一体成形された折り畳むことができない、所謂、ボックスコンテナー等のコンテナー、特に、収納されている物品の行き先、物品名、種類、数量等の種々の情報が蓄積された無線ＩＣタグの配置構造に関するものである。
【背景技術】
【０００２】
従来、側壁の外面に、バーコード等の固体認識（ＩＤ）タグを取り付けたボックスコンテナーが、一例として、特許文献１に開示されている。
【０００３】
【特許文献１】実開平５−９４１３３号公報
【発明の開示】
【発明が解決しようとする課題】
【０００４】
上述した従来のコンテナーにおいては、固体認識タグが、側壁の外面に取り付けられているために、固体認識タグが、他のコンテナー等に当接したり、耐候劣化したり、或いは、雨水や洗浄水により、損傷するという問題があった。
【０００５】
また、隣接するコンテナーに配設された無線ＩＣタグが、互いに略平行に接近して位置していると、無線ＩＣタグ同士の干渉現象が発生し、無線ＩＣタグに蓄積された情報を、リーダーが読み取ることができないという問題があった。
【０００６】
本発明の目的は、上述したコンテナーにおける無線ＩＣタグの配置構造が有する課題を解決することにある。
【課題を解決するための手段】
【０００７】
本発明は、上述した目的を達成するために、コンテナーにおける無線ＩＣタグの配置構造において、前記コンテナーが、底部と、該底部の長辺側土手部にヒンジ連結された長側壁と、前記底部の短辺側土手部にヒンジ連結された短側壁とから構成されている折り畳みコンテナーであり、前記長辺側土手部は、前記底部の底板の長辺から略垂直に立設された内側垂直部と、該内側垂直部の上端から水平方向外側に延在する水平部と、該水平部の先端から下方に垂下された外側垂直部とからなる、下方に開口を有する略逆Ｕ字状に形成されているとともに、該下方に開口を有する略逆Ｕ字状の長辺側土手部内に、無線ＩＣタグを配置ものである。
【発明の効果】
【０００８】
本発明は、上述した構成を有するので、以下に記載する効果を奏することができるものである。
【０００９】
上方及び左右が壁面により囲まれ、且つ、下方に開口を有するタグホルダー収容空間内に、無線ＩＣタグを配設したので、無線ＩＣタグが、他のコンテナー等に当接したり、耐候劣化したり、或いは、雨水や洗浄水により、損傷するというような問題を解決することができる。
【００１０】
また、タグホルダー収容空間内のうち、中央部から外れた位置に、無線ＩＣタグが配置されているので、複数のコンテナーを接近して並設しても、隣接するコンテナーに配置された無線ＩＣタグが、互いに略平行に接近して位置するようなことがないので、リーダーが、無線ＩＣタグに蓄積された情報を読み取ることができないというような問題を解決することができる。
【実施例】
【００１１】
以下に、本発明の実施例について説明するが、本発明の趣旨を越えない限り、何ら、本実施例に限定されるものではない。なお、以下には、底部と、該底部にヒンジ連結され、且つ、底部に重なるように折り畳むことが可能な側壁とから構成された折り畳みコンテナーを例に、本発明について説明する。
【００１２】
先ず最初に、図１〜図３を用いて、本発明の折り畳みコンテナーＣの全体構成について説明する。
【００１３】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。
【００１４】
２は、長側壁であり、長側壁２は、適当なヒンジ部材を介して、底部１の長辺側土手部１ａにヒンジ連結されている。３は、短側壁であり、短側壁３も、適当なヒンジ部材を介して、底部１の短辺側土手部１ｂにヒンジ連結されている。
【００１５】
図１に示されている箱型に組み立てられた状態から、先ず最初に、図２に示されているように、略垂直状態の短側壁３を底部１方向に回動させて底部１に重ね、次いで、略垂直な長側壁２を、底部１方向に倒して、底部１に重ねられている短側壁３の上に重ねることにより、図３に示されているように、折り畳むことができるように構成されており、また、図３に示されているように、折り畳まれた状態から、先ず最初に、図２に示されているように、略水平状態の長側壁２を、略垂直に立て、次いで、短側壁３を、略垂直に立てられた長側壁２方向に回動させて、略垂直に立てることにより、図１に示されているように、箱型に組み立てることができるように構成されている。
【００１６】
図４及び図５に示されているように、長辺側土手部１ａは、底部１の底板１ｃの長辺から略垂直に立設された内側垂直部１ａ１と、垂直部１ａ１の上端から水平方向外側に延在する水平部１ａ２と、水平部１ａ２の先端から下方に、且つ、内側垂直部１ａ１と略平行に垂下された外側垂直部１ａ３とから構成されており、長辺側土手部１ａの長手方向に対して垂直な断面形状が、略逆Ｕ字状に形成されている。また、１ｄは、外側垂直部１ａ３を上方に延在することにより形成された横長の帯状の外側立ち壁である。
【００１７】
ｈ１は、長辺側土手部１ａを構成する水平部１ａ２の内側垂直部１ａ１側に立設された板状部であり、板状部ｈ１の先端部には、外側立ち壁１ｄ方向に延在するフックｈ２が形成されており、フックｈ２の上端は、外側立ち壁１ｄの上端と略同じ高さに形成されている。なお、板状部ｈ１の底板１ｃ側に位置する面と内側垂直部１ａ１の底板１ｃ側に位置する面とは、略面一に形成することが好ましい。板状部ｈ１とフックｈ２とにより、雌ヒンジ部材Ｈ１が構成されており、雌ヒンジ部材Ｈ１は、長辺側土手部１ａの長さ方向に、所定の間隔で複数個、形成されている。
【００１８】
４は、雌ヒンジ部材Ｈ１に対応して、長辺側土手部１ａを構成する水平部１ａ２に形成された略方形状の透孔であり、雌ヒンジ部材Ｈ１は、透孔４の長辺側土手部１ａの長手方向に沿った幅内に位置するように構成されている。また、透孔４の外側立ち壁１ｄ側に位置する縁部を、外側立ち壁１ｄより、雌ヒンジ部材Ｈ１側に位置するように形成することにより、透孔４内に位置する水平部１ａ２には、係止縁部１ａ２’が形成されている。
【００１９】
５は、略逆Ｕ字状の長辺側土手部１ａ内を仕切るように形成された複数の区画壁であり、隣り合う区画壁５の上方に、長辺側土手部１ａに形成された雌ヒンジ部材Ｈ１が位置するように構成されている。換言すれば、隣り合う区画壁５は、長辺側土手部１ａを構成する水平部１ａ２に形成された透孔４を挟むように、所定の間隔で形成されている。
【００２０】
ｈ３は、長側壁２の下端水平リブ２ａの裏面に、下端水平リブ２ａの長手方向に対して垂直に垂設された一対の支持片であり、一対の支持片ｈ３には、水平ピンｈ４が架橋されている。一対の支持片ｈ３と水平ピンｈ４とにより、雄ヒンジ部材Ｈ２が構成されており、雄ヒンジ部材Ｈ２は、上述した底部１に形成された雌ヒンジ部材Ｈ１に対応して形成されている。
【００２１】
長側壁２の下端水平リブ２ａの裏面に形成された雄ヒンジ部材Ｈ２の水平ピンｈ４を、底部１の長辺側土手部１ａの水平部１ａ２に形成された雌ヒンジ部材Ｈ１のフックｈ２と外側立ち壁１ｄ間に形成された間隙に嵌入し、雄ヒンジ部材Ｈ２の水平ピンｈ４を、雌ヒンジ部材Ｈ１のフックｈ２に係合させることにより、図６に示されているように、長側壁２が、底部１の長辺側土手部１ａにヒンジ連結されるように構成されている。
【００２２】
また、底部１を構成する略逆Ｕ字状の長辺側土手部１ａ内には、内側垂直部１ａ１と水平部１ａ２と外側垂直部１ａ３と隣り合う一対の区画壁５により、図４及び図７に示されているように、後述する無線ＩＣタグが配設されるタグホルダー収容空間Ａ１が形成されており、図７に示されているように、タグホルダー収容空間Ａ１は、長辺側土手部１ａに形成された雌ヒンジ部材Ｈ１に対応して、雌ヒンジ部材Ｈ１と同じ数、形成されている。
【００２３】
なお、底部１の短辺側土手部１ｂにも、雌ヒンジ部材Ｈ１が、所定の間隔で形成されており、また、短側壁３の下端水平リブ３ａの裏面にも、雄ヒンジ部材Ｈ２が形成されており、雌ヒンジ部材Ｈ１のフックｈ２に、雄ヒンジ部材Ｈ２の水平ピンｈ４を係合させることにより、短側壁３と底部１の短辺側土手部１ｂとがヒンジ連結されるように構成されている。なお、底部１の短辺側土手部１ｂは、底板１ｃから上方に突出している必要はなく、短辺側土手部１ｂを、底板１ｃの相対する短辺とすることもできる。短辺側土手部１ｂを、底板１ｃの相対する短辺とした場合には、雌ヒンジ部材Ｈ１を構成する一対の支持片ｈ３は、底板１ｃの上面に立設されることになる。
【００２４】
次に、図８〜図１０を用いて、タグホルダーＴについて説明する。
【００２５】
タグホルダーＴは、上部水平部ｔ１と、下部水平部ｔ２と、上部水平部ｔ１と下部水平部ｔ２とを連結する一対の連結垂直部ｔ３と、下部水平部ｔ２に立設されたバネ部ｔ４とを有している。
【００２６】
上部水平部ｔ１は、横長の長方形状の垂直板状本体ｔ１’と、垂直板状本体ｔ１’の連結垂直部ｔ３から遠い方の側面ｔ１ａの上端部に、垂直板状本体ｔ１’の長手方向に沿って突設された係止突部ｔ１ｂと、垂直板状本体ｔ１’の連結垂直部ｔ３側に位置する側面ｔ１ｃの下端部に形成された下部水平リブｔ１ｄと、垂直板状本体ｔ１’と対向するように、下部水平リブｔ１ｄの下面に垂設された一対の垂下片ｔ１ｅとを有している。また、下部水平リブｔ１ｄの下面の中央部には、係合突起ｔ１ｆが突設されている。
【００２７】
下部水平部ｔ２は、上述した上部水平部ｔ１の下部水平リブｔ１ｄと略平行な板状の水平リブｔ２ａを有しており、水平リブｔ２ａの上面先端部には、上部水平部ｔ１の下部水平リブｔ１ｄの下面に垂設された一対の垂下片ｔ１ｅと対向するように、突条ｔ２ｂが突設されている。
【００２８】
上述したタグホルダーＴを構成する一対の連結垂直部ｔ３は、上部水平部ｔ１を構成する下部水平リブｔ１ｄの先端部と、下部水平部ｔ２の突条ｔ２ｂと反対側に位置する先端部とを連結するように構成されている。このように構成することにより、上部水平部ｔ１を構成する下部水平リブｔ１ｄの下面に垂設された垂下片ｔ１ｅと連結垂直部ｔ３との間には、上部嵌合凹部ｔ５が形成されており、また、下部水平部ｔ２の突条ｔ２ｂと連結垂直部ｔ３との間には、上部嵌合凹部ｔ５と対向するように、下部嵌合凹部ｔ６が形成されている。
【００２９】
上述したバネ部ｔ４は、一対の連結垂直部ｔ３間に位置するとともに、突条ｔ２ｂと反対側に位置する下部水平部ｔ２を構成する水平リブｔ２ａの縁部に立設されており、バネ部ｔ４は、連結垂直部ｔ３から遠ざかる方向に延在する湾曲部ｔ４ａと、湾曲部ｔ４ａの上端から連結垂直部ｔ３方向に延在する水平部ｔ４ｂとから構成されている。また、バネ部ｔ４を構成する水平部ｔ４ｂは、バネ部ｔ４が、連結垂直部ｔ３方向に弾性変形された際には、一対の連結垂直部ｔ３間に形成された間隙ｔ３ａに挿入されるように構成されている。
【００３０】
次に、図１１及び図１２を用いて、上述したタグホルダーＴに保持される、収納されている物品の行き先、物品名、種類、数量等の情報が蓄積されたＩＣチップとアンテナとを有する無線ＩＣタグ６について説明する。
【００３１】
無線ＩＣタグ６は、本実施例においては、略横長の方形状の板状に形成されており、無線ＩＣタグ６の上面６ａの中央部には、上述したタグホルダーＴを構成する下部水平リブｔ１ｄの下面の中央部に突設された係合突起ｔ１ｆが嵌合する嵌合凹部６ａ１が形成されている。
【００３２】
無線ＩＣタグ６は、無線ＩＣタグ６の上部水平縁部６ｂを、上述したタグホルダーＴに上部嵌合凹部ｔ５に嵌合し、また、無線ＩＣタグ６の下部水平縁部６ｃを、上述したタグホルダーＴに下部嵌合凹部ｔ６に嵌合することにより、図１３及び図１４に示されているように、タグホルダーＴに取り付けることができるように構成されている。なお、無線ＩＣタグ６が、タグホルダーＴに取り付けられた際には、無線ＩＣタグ６の上面６ａの中央部に形成された嵌合凹部６ａ１に、タグホルダーＴを構成する下部水平リブｔ１ｄの下面に突設された係合突起ｔ１ｆが嵌合されるように構成されており、このように構成することにより、タグホルダーＴに取り付けられた無線ＩＣタグ６の水平方向の移動を抑制することができるように構成されている。なお、６ｄは、無線ＩＣタグ６の強度や剛性を高めるために、無線ＩＣタグ６の一方の側面６ｅに形成された適当数の水平突条であり、適宜、省略することもできる。
【００３３】
上述したように、無線ＩＣタグ６が保持されたタグホルダーＴを、タグホルダーＴのバネ部ｔ４が、底部１を構成する長辺側土手部１ａの内側垂直部１ａ１側に位置し、タグホルダーＴの係止突部ｔ１ｂが、底部１を構成する長辺側土手部１ａの外側垂直部１ａ３側に位置し、且つ、上部水平部ｔ１が上方に位置するように、略逆Ｕ字状の長辺側土手部１ａの内側垂直部１ａ１と水平部１ａ２と外側垂直部１ａ３と一対の区画壁５により形成されたタグホルダー収容空間Ａ１の下方に配置した後、無線ＩＣタグ６が保持されたタグホルダーＴを、タグホルダー収容空間Ａ１に挿入することにより、タグホルダーＴの上部水平部ｔ１に突設された係止突部ｔ１ｂを、図１５及び図１６に示されているように、底部１の長辺側土手部１ａを構成する水平部１ａ２に穿設された透孔４内に位置する係止縁部１ａ２’に係止させる。このように、タグホルダーＴの上部水平部ｔ１に突設された係止突部ｔ１ｂを、底部１の長辺側土手部１ａを構成する水平部１ａ２に穿設された透孔４内に位置する係止縁部１ａ２’に係止させた際には、タグホルダーＴのバネ部ｔ４の湾曲部ｔ４ａが、底部１の長辺側土手部１ａを構成する内側垂直部１ａ１に当接し、バネ部ｔ４が、タグホルダーＴの連結垂直部ｔ３方向に、バネ部ｔ４の弾性力に抗して弾性変形するように構成されており、従って、タグホルダーＴの上部水平部ｔ１に突設された係止突部ｔ１ｂが、底部１の長辺側土手部１ａを構成する水平部１ａ２に穿設された透孔４内に位置する係止縁部１ａ２’に圧接され、タグホルダーＴの上部水平部ｔ１に突設された係止突部ｔ１ｂと底部１の長辺側土手部１ａを構成する水平部１ａ２に穿設された透孔４内に位置する係止縁部１ａ２’との係合が、簡単には、解除されないように構成されている。
【００３４】
上述したように、無線ＩＣタグ６が取り付けられたタグホルダーＴを、底部１の略逆Ｕ字状の長辺側土手部１ａを構成する内側垂直部１ａ１と水平部１ａ２と外側垂直部１ａ３とにより形成された、下方が開口された空間部内に配置するように構成したので、無線ＩＣタグ６が、他のコンテナー等に当接したり、耐候劣化したり、或いは、雨水や洗浄水により、損傷するというような問題を解決することができる。
【００３５】
また、無線ＩＣタグ６が、底部１に取り付けられているので、側壁に、無線ＩＣタグが取り付けられた従来の折り畳みコンテナーのように、側壁が、底部に重なるように折り畳まれた際に、リーダーが、無線ＩＣタグ６に蓄積された情報を読み取ることができないというような問題を解決することができる。
【００３６】
更に、無線ＩＣタグ６の幅方向の長さＬ１を、タグホルダー収容空間Ａ１を構成する一対の区画壁５の間隔と略同じに形成することにより、タグホルダー収容空間Ａ１に配置された無線ＩＣタグ６が水平方向に移動しようとしても、区画壁５に当接して、無線ＩＣタグ６の水平移動が制限されることになる。
【００３７】
上述した実施例には、無線ＩＣタグ６を、タグホルダーＴを介して、底部１を構成する略逆Ｕ字状の長辺側土手部１ａに形成されたタグホルダー収容空間Ａ１内に取り付けるように構成した例が示されているが、タグホルダーＴを使用することなく、タグホルダー収容空間Ａ１内に形成されたタグ取付部材に、直に、無線ＩＣタグ６を取り付けることもできる。
【００３８】
図１７には、底部１を構成する略逆Ｕ字状の長辺側土手部１ａの水平部１ａ２の裏面には、無線ＩＣタグ６の厚さと略同じ間隔で対峙するように、一対の弾性垂下片７ａが垂下されており、一対の弾性垂下片７ａの下端には、互いに接近する方向に延在する係止突起７ｂが形成されている。このような、一対の弾性垂下片７ａは、長辺側土手部１ａの長手方向に沿って、もう一対形成されており、一方の一対の弾性垂下片７ａともう一方の一対の弾性垂下片７ａとの間隔は、無線ＩＣタグ６の幅方向の長さＬ１より狭くなるように形成されている。このような一方の一対の弾性垂下片７ａともう一方の一対の弾性垂下片７ａとにより、底部１を構成する略逆Ｕ字状の長辺側土手部１ａと一体的なタグ取付部材７が形成されている。
【００３９】
略横長の方形状の板状の無線ＩＣタグ６を、底部１を構成する略逆Ｕ字状の長辺側土手部１ａに形成されたタグホルダー収容空間Ａ１の下方付近に、無線ＩＣタグ６が、長辺側土手部１ａの内側垂直部１ａ１及び外側垂直部１ａ３と略平行になるように配置し、その後、無線ＩＣタグ６の両端部付近を、底部１を構成する略逆Ｕ字状の長辺側土手部１ａの水平部１ａ２の裏面に垂設された一方の一対の弾性垂下片７ａ間及びもう一方の一対の弾性垂下片７ａ間に嵌入するとともに、無線ＩＣタグ６の下端を、弾性垂下片７ａの係止突起７ｂに係止させることにより、底部１を構成する略逆Ｕ字状の長辺側土手部１ａと一体的に構成されたタグ取付部材７に、無線ＩＣタグ６を取り付ける。なお、上述したように、無線ＩＣタグ６の幅方向の長さＬ１を、タグホルダー収容空間Ａ１を構成する一対の区画壁５の間隔と略同じに形成することにより、タグホルダー収容空間Ａ１に配置された無線ＩＣタグ６が水平方向に移動しようとしても、区画壁５に当接して、無線ＩＣタグ６の水平移動が制限されることになる。
【００４０】
図７には、一例として、底部１を構成する略逆Ｕ字状の長辺側土手部１ａに、雌ヒンジ部材Ｈ１が、長辺側土手部１ａの中央部に１個、長辺側土手部１ａの両端部付近に、それぞれ１個、及び、中央部に位置する雌ヒンジ部材Ｈ１と長辺側土手部１ａの両端部付近に位置する雌ヒンジ部材Ｈ１との間に、それぞれ１個の合計５個の雌ヒンジ部材Ｈ１が形成されている例が示されている。そして、上述したように、雌ヒンジ部材Ｈ１の下方には、雌ヒンジ部材Ｈ１に対応して、タグホルダー収容空間Ａ１が形成されているので、長辺側土手部１ａ内には、５個のタグホルダー収容空間Ａ１が形成されている。
【００４１】
上述した無線ＩＣタグ６は、底部１を構成する長辺側土手部１ａ内に形成された何れのタグホルダー収容空間Ａ１に配設することができるが、長辺側土手部１ａの中央部に形成されたタグホルダー収容空間Ａ１以外のタグホルダー収容空間Ａ１に配設することが好ましい。
【００４２】
無線ＩＣタグ６が、底部１を構成する長辺側土手部１ａの中央部に形成されたタグホルダー収容空間Ａ１（例えば、図７において、Ａ１’の符号が付されているタグホルダー収容空間）に配設された複数の折り畳みコンテナーＣを、図１８に示されているように、パレットＰに載置した際には、隣接する折り畳みコンテナーＣ１、Ｃ２のように、隣接する折り畳みコンテナーＣ１、Ｃ２に配設された無線ＩＣタグ６が、互いに略平行に接近して位置することがある。
【００４３】
上述したように、隣接する折り畳みコンテナーＣ１、Ｃ２に配設された無線ＩＣタグ６が、互いに略平行に接近して位置していると、公知のように、無線ＩＣタグ６が、リーダーへ応答信号を送信できなくなるという、所謂、無線ＩＣタグ６同士の干渉現象が発生することになる。このような、無線ＩＣタグ６同士の干渉現象の発生を防止するために、長辺側土手部１ａの中央部に形成されたタグホルダー収容空間Ａ１以外のタグホルダー収容空間Ａ１に、無線ＩＣタグ６を配設することが好ましい。
【００４４】
上述したように、無線ＩＣタグ６を、長辺側土手部１ａの中央部に形成されたタグホルダー収容空間Ａ１’に配設した場合には、無線ＩＣタグ６が配設された折り畳みコンテナーＣを、パレットＰに載置する際には、作業者は、図１８に示されている隣接する折り畳みコンテナーＣ１、Ｃ２のように、隣接する折り畳みコンテナーＣに配設された無線ＩＣタグ６が、互いに略平行に接近して位置していないことを確認しなければならず、従って、パレットＰへの折り畳みコンテナーＣの載置作業の作業性が悪化することになる。しかしながら、長辺側土手部１ａの中央部に形成されたタグホルダー収容空間Ａ１以外のタグホルダー収容空間Ａ１（例えば、図７において、Ａ１”の符号が付されているタグホルダー収容空間）に、無線ＩＣタグ６を配設すること、換言すれば、無線ＩＣタグ６を、中央部に位置するタグホルダー収容空間Ａ１’を外して配設することにより、パレットＰに、無作為に、即ち、無線ＩＣタグ６の配設位置を確認することなく、折り畳みコンテナーＣを載置しても、図１９に示されているように、載置された折り畳みコンテナーＣに配設された無線ＩＣタグ６が、互いに略平行に接近して位置するようなことがないので、パレットＰへの折り畳みコンテナーＣの載置作業の作業性が向上する。
【００４５】
図２０には、側壁と底部が一体成形された折り畳むことができない、所謂、ボックスコンテナーＢの一例が示されており、ボックスコンテナーＢは、底部ｂ１と、底部ｂ１の相対する長辺から上方に延在する長側壁ｂ２と、底部ｂ１の相対する短辺から上方に延在する短側壁ｂ３とを有しており、長側壁ｂ２及び短側壁ｂ３の上端には、略水平方向に外側に延在する水平部ｂ４ａと水平部ｂ４ａの先端から略垂直に下方に延在する垂直部ｂ４ｂとからなる開口部フランジｂ４が形成されている。
【００４６】
図２１に示されているように、長側壁ｂ２と開口部フランジｂ４を構成する水平部ｂ４ａと垂直部ｂ４ｂとにより囲まれた下方が開放された空間部には、水平部ｂ４ａの長手方向に沿って、空間部を仕切る複数の区画壁ｂ５が形成されており、長側壁ｂ２と開口部フランジｂ４を構成する水平部ｂ４ａと垂直部ｂ４ｂと隣り合う一対の区画壁ｂ５とにより、上述した折り畳みコンテナーＣのタグホルダー収容空間Ａ１と同様のタグホルダー収容空間Ａ２が形成されている。
【００４７】
タグホルダー収容空間Ａ２内に位置する長側壁ｂ２の上端部に、上述した折り畳みコンテナーＣに形成された係止縁部１ａ２’と同様の水平状の係止突条ｂ６を形成することにより、上述したと同様に、図２２及び図２３に示されているように、無線ＩＣタグ６が取り付けられたタグホルダーＴを、タグホルダー収容空間Ａ２内に取り付けることができる。この場合にも、タグホルダーＴの上部水平部ｔ１に突設された係止突部ｔ１ｂを、係止突条ｂ６に係止させるとともに、タグホルダーＴのバネ部ｔ４の湾曲部ｔ４ａが、開口部フランジｂ４を構成する垂直部ｂ４ｂに当接し、バネ部ｔ４が、タグホルダーＴの連結垂直部ｔ３方向に、バネ部ｔ４の弾性力に抗して弾性変形するように構成されており、従って、タグホルダーＴの上部水平部ｔ１に突設された係止突部ｔ１ｂが、係止突条ｂ６に圧接され、係止突部ｔ１ｂと係止突条ｂ６との係合が、簡単には、解除されないように構成されている。
【００４８】
上述したように、無線ＩＣタグ６が取り付けられたタグホルダーＴを、ボックスコンテナーＢの長側壁ｂ２と開口部フランジｂ４を構成する水平部ｂ４ａと垂直部ｂ４ｂとにより囲まれた下方が開放された空間部内に配置するように構成したので、無線ＩＣタグ６が、他のコンテナー等に当接したり、耐候劣化したり、或いは、雨水や洗浄水により、損傷するというような問題を解決することができる。
【００４９】
また、無線ＩＣタグ６の幅方向の長さＬ１を、タグホルダー収容空間Ａ２を構成する一対の区画壁ｂ５の間隔と略同じに形成することにより、タグホルダー収容空間Ａ２に配置された無線ＩＣタグ６が水平方向に移動しようとしても、区画壁ｂ５に当接して、無線ＩＣタグ６の水平移動が制限されることになる。
【００５０】
ボックスコンテナーＢの場合にも、上述した折り畳みコンテナーＣと同様に、無線ＩＣタグ６を、中央部に位置するタグホルダー収容空間Ａ２にではなく、中央部から外れたタグホルダー収容空間Ａ２に配設することが好ましい。このように構成することにより、上述した折り畳みコンテナーＣの場合と同様に、作業者が、パレットに、ボックスコンテナーＢを載置する際に、隣接するボックスコンテナーＢに配設された無線ＩＣタグ６が、互いに略平行に接近して位置しているかどうかを確認する必要がないので、従って、パレットへのボックスコンテナーＢの載置作業の作業性が向上する。
【図面の簡単な説明】
【００５１】
【図１】図１は、本発明のコンテナーの一実施例である箱型に組み立てられた状態の折り畳みコンテナーの斜視図である。
【図２】図２は、組み立て途中或いは折り畳み途中の図１に示されている折り畳みコンテナーの斜視図である。
【図３】図３は、折り畳まれた状態の図１に示されている折り畳みコンテナーの斜視図である。
【図４】図４は、図１に示されている折り畳みコンテナーを構成する底部と長側壁の部分分解斜視図である。
【図５】図５は、図１に示されている折り畳みコンテナーを構成する底部の部分側断面図である。
【図６】図６は、図１に示されている折り畳みコンテナーを構成する底部と長側壁の部分側断面図である。
【図７】図７は、図１に示されている折り畳みコンテナーの底部と長側壁の部分正面図である。
【図８】図８は、本発明のコンテナーに配設されるタグホルダーの斜視図である。
【図９】図９は、同じく、本発明のコンテナーに配設されるタグホルダーの斜視図である。
【図１０】図１０は、本発明のコンテナーに配設されるタグホルダーの側断面図である。
【図１１】図１１は、本発明のコンテナーに配設される無線ＩＣタグの斜視図である。
【図１２】図１２は、同じく、本発明のコンテナーに配設される無線ＩＣタグの斜視図である。
【図１３】図１３は、無線ＩＣタグがタグホルダーに保持された状態の斜視図である。
【図１４】図１４は、無線ＩＣタグがタグホルダーに保持された状態の側断面図である。
【図１５】図１５は、無線ＩＣタグが保持されたタグホルダーが、本発明のコンテナーの一実施例である折り畳みコンテナーの底部に配設された状態の部分側断面図である。
【図１６】図１６は、無線ＩＣタグが保持されたタグホルダーが、本発明のコンテナーの一実施例である折り畳みコンテナーの底部に配設された状態の部分斜視図である。
【図１７】図１７は、無線ＩＣタグが保持されたタグホルダーが、本発明のコンテナーの別の実施例である折り畳みコンテナーの底部に配設された状態の部分斜視図である。
【図１８】図１８は、本発明のコンテナーの一実施例である折り畳みコンテナーがパレットに載置された状態の概略平面図である。
【図１９】図１９は、同じく、本発明のコンテナーの一実施例である折り畳みコンテナーがパレットに載置された状態の概略平面図である。
【図２０】図２０は、本発明のコンテナーの他の実施例であるボックスコンテナーの斜視図である。
【図２１】図２１は、図２０に示されているボックスコンテナーの部分斜視図である。
【図２２】図２２は、図２０に示されているボックスコンテナーに、無線ＩＣタグが保持されたタグホルダーが配設された状態の部分斜視図である。
【図２３】図２３は、図２０に示されているボックスコンテナーに、無線ＩＣタグが保持されたタグホルダーが配設された状態の部分側断面図である。
【符号の説明】
【００５２】
Ａ１、Ａ２・・・・・・・・タグホルダー収容空間
Ｂ・・・・・・・・・・・・ボックスコンテナー
Ｃ・・・・・・・・・・・・折り畳みコンテナー
Ｔ・・・・・・・・・・・・タグホルダー
１・・・・・・・・・・・・底部
１ａ・・・・・・・・・・・長辺側土手部
２・・・・・・・・・・・・長側壁
３・・・・・・・・・・・・短側壁
６・・・・・・・・・・・・無線ＩＣタグ
【図１】
0004652173.tif 000002
【図２】
0004652173.tif 000003
【図３】
0004652173.tif 000004
【図４】
0004652173.tif 000005
【図５】
0004652173.tif 000006
【図６】
0004652173.tif 000007
【図７】
0004652173.tif 000008
【図８】
0004652173.tif 000009
【図９】
0004652173.tif 000010
【図１０】
0004652173.tif 000011
【図１１】
0004652173.tif 000012
【図１２】
0004652173.tif 000013
【図１３】
0004652173.tif 000014
【図１４】
0004652173.tif 000015
【図１５】
0004652173.tif 000016
【図１６】
0004652173.tif 000017
【図１７】
0004652173.tif 000018
【図１８】
0004652173.tif 000019
【図１９】
0004652173.tif 000020
【図２０】
0004652173.tif 000021
【図２１】
0004652173.tif 000022
【図２２】
0004652173.tif 000023
【図２３】
0004652173.tif 000024